(57)【要約】【課題】今までは、モーターを駆動して押圧板で、ごみを押圧していたし、人の自重で押圧する方法とかいくつか開示されていたが、大型化となり価格が高くなり家庭内での使用には、簡単にはいかなかった。また、簡単で安価な手軽に吸入袋の内部と電気掃除機を繋ぐ器具はなかった。【解決手段】脱気締結具１は複数の側部貫通孔２ａ形成する脱気管２を挿着する把持具３と締結具５の間を介在する可塑性チューブ４が挿着し電気掃除機９と締結具５の間に介在する吸入パイプ９ａが挿入にされたことで吸入経路を形成する。このことで吸引袋６の空気は、電気掃除機９で吸入経路に沿って吸引され圧壊しコンパクトになる。【選択図】  図５
2004238105.tif 000002
【特許請求の範囲】
【請求項１】
把持具の基管具に鍔が挿着しことで把持部上と把持部下が形成され該基管具の把持部下には、吸入袋を巻回するための掛止する手段を有し、該吸入袋の空気を吸入する空間を複数形成した脱気管を基管具の端面に回動自在に挿通され、該脱気管の他端と締結具の締結管の間に介在する可撓性チューブを各々に係合し挿着されたことで当該商品が形成され、また、把持具を吸入袋の開口部に挿入した後に、密閉性を増すため巻回することで該吸入袋の空気は、当該商品を介して確実に外部へと吸入するための吸入経路を形成しことを特徴とした脱気締結具
【請求項２】
吸入袋の空気を外部から吸入する為に電気掃除機を用いた請求項１記載の脱気締結具
【発明の詳細な説明】
【０００１】
【産業上の利用分野】本発明は、家庭内のごみが貯留した吸引袋と電気掃除機の間に介在する器具を設けたことで空気を吸入袋から吸入したことで大気圧からの押圧によりごみが圧壊しコンパクトなり、しかも安価で簡単に操作、収納ができる脱気締結具に関するものである。
【０００２】
【従来の技術】従来品としては、落とし蓋等をごみの上に載置しその上に人の足で踏みつける、自重でごみを押圧し圧壊するやりかたや水道水の圧力でごみ等の押圧し圧壊するやり方、そして、リンク機構で押圧板をモーター等で連動させごみ等を押圧し圧壊するやり方が開示されている。また、大気圧を利用し吸入袋の空気を真空装置で吸入し圧壊した後に該吸引袋の開口部を溶融装置で溶着することで、密閉性を増した状態を保持するのも開示されている。
【０００３】
【発明が解決しようとする課題】家庭内のごみは、発泡材等の材料が多くなる、現在の食生活様式も変わり、冷凍食品や、カップ麺の容器やペットボトル、食材が収められプラスチック類を数多くごみとして存在しているため該プラスチック類等は重量の割には体積が殆ど占め、従来は、人の自重で圧壊するやり方は、上方向の人の自重による荷重で、互いのごみは、変形が伴うが荷重を吸収してしまうので圧壊するには至らない。また、モータによりリンク機構で押圧板を動作させごみ等を圧壊するが、電気やリンク機構が介在するため付属部品等が多く大型化となり価格が高くなる。また、水道の圧力で利用するのも同じ結果となる。
【０００４】次は、特開２００１−１１４２１４で開示されているが、吸引袋にごみ等が貯留した後、真空装置で直接に吸引袋の内部から空気を吸入することで真空状態にし、該真空状態を維持するため吸引袋の開口部を溶融装置で溶融し密閉する。これは真空装置も別途必要になり、そのため大型化となり価格も高くなり一般家庭内の領域での使用するのは困難である。
【０００５】本発明は、上述の事柄に留意することで、家庭内に常備されている電気掃除機と吸入袋の間の介在する器具を設けることで嵩張る吸入袋の空気を吸入しごみを圧壊するやりか方は、非常に操作が簡単で家庭領域内でも使用できることを目的する。
【０００６】
【発明が解決するための手段】上記目的を達成するために、本発明の脱気締結具１は、把持具３は  基管具３ｅに鍔３ｂが適宜位置まで挿着することで把持部上３ｃと把持部下３ｄ形成し且つ、把持部下３ｄには、普段使用されている、ごみ袋と同等の性能を有するプラスチック袋である吸引袋６の開口部が挿入し掛止する切欠部３ａ、３ｆが形成し、把持部上３ｃには脱気管２の端面に側縁部に複数の側部貫通孔２ａを形成し該脱気管２を回動自在に挿通し、また、締結具５の締結管５ｂと前記説明した脱気管２の間に介在する可撓性チューブ４が挿着したことで把持具３の側部貫通孔２ａから吸入パイプ９ａ、可撓性チューブ４締結具５を経て吸入経路は、電気掃除機まで形成する
【０００７】
【発明の実施の形態】上記目的を達成するため本発明の脱気締結具１の実施例は、図を参照しながら説明する。
【０００８】図１より脱気締結具１は把持具３と締結具５の間に介在する可撓性チューブ４で構成される。上記の把持具３は、基管具３ｅに標準大人の両手で把持する長さの位置に鍔３ｂが挿着し、挿着後に把持部上３ｃと把持部下３ｄが形成し且つ、該把持部下３ｄには、長手方向の切欠部３ａ、３ｆが形成する。また、脱気管２の一端の側縁部に吸入手段として複数有した側部貫通孔２ａを形成し中央より上に掛止具２ｃが設け、その後に把持具３の基管具３ｅの端面に脱気管２を回動自在に挿通され基管具３ｅから露出しない位置に掛止具２ｃを設けたことで脱気管２に挿着し該脱気管２は、基管具３ｅから挿脱できない構造となる。次に、締結具５の端面に締結管５ｂが挿着され、脱気管２と該締結管５ｂの間に介在する可撓性チューブ４が各々に係合し挿着したことで吸入経路が形成する。
【０００９】図２（ａ）より脱気管２の側部貫通孔２ａの製作方法を説明する。まず、中空の脱気管２に開口部一端より適宜位置の側縁部にドリルＦで脱気管２の内側より突出量２ｃ形成するように上からかすめることで複数の側部貫通孔２ａを形成する。この場合は冶具（図示指示無し）を製作し使用すれば、簡単に形成することが可能である。また、図２（ｂ）より側部貫通孔２ａの別方法での形成方法を説明する。まず、グラインダーの砥石Ｄを脱気管２の側部から突出し量２ｄが形成することで側部貫通孔２ａが形成する。このことで、脱気管２の空気の流通は、確保される。
【００１０】図３より脱気締結具１から空気の流通を説明する。まず、締結具５の締結部５ａと電気掃除機９の間に介在する吸入パイプ９ａの両端は係合し挿着することで該電気掃除機９から脱気管２の先端に複数形成する側部管通孔２ａと開口部から、矢印Ａのように空気が流入し脱気管２の内部は、矢印Ｂのように空気は、流れ可撓性チューブ４、締結具５、吸入パイプ９ａの順に、そして、最終的には、電気掃除機９に空気は吸引され流通する。
【００１１】次に、脱気締結具１を吸入袋６（図指示無し）から抜くときは、図３より把持具３を矢印Ｃの方向に抜くとき基管具２ｅは、脱気管２上を移動し該基管具２ｅ（２点鎖線の図）の端面と掛止具２ｂが当接し止まり、そのまま抜き続けると、脱気管２も吸入袋から取り出して把持具３を吸入袋６（図指示無し）から抜く。
【００１２】図４より脱気締結具１を吸引袋６に挿入する説明する。まず把持具３の脱気管２を吸引袋６の中央の開口空間部６ａに挿入し把持具３の長手方向で且つ対称位置に形成し切欠部３ａ、３ｆの奥一杯まで、吸引袋６の開口部に挿入する。
【００１３】次に図５より脱気締結具１の吸入経路を示した図である。まず、脱気締結具１の締結具５と電気掃除機９の間に介在する吸入パイプ９ａを挿着し吸入袋６の内部の空気が電気掃除機９で吸入する。次に、鍔３ｂを挟んで把持具３の把持部下３ｃ（左手の下になり図指示無し）を左手７で軽く被包し右手８で把持具３の把持部上３ｃ（右手の下になり図指示無し）を把持し回すようにする。
【００１４】図５のＨ−Ｈ断面の図６（ａ）（ｂ）（ｃ）より吸引袋６が基管具３ｅの把持部下３ｄに巻回する説明する。まず、図６（ａ）より吸入袋６の中央の開口部６ａに脱気管２を挿入することで基管具３ｅの長手方向（図面奥方向）の切欠部３ａ、３ｆを吸入袋６の開口部６ａに挿入する。左手７次に、図６（ｂ）は矢印方向Ｅに回すと切欠部３ａ、３ｆに掛止し把持部下３ｄを左手７で軽く押さえ右手８（図指示無し）で基管具３ｅをＥ方向に回し吸引袋６の開口部６ｃは、中央に手繰り寄せられ、６（ｃ）ようにＥ方向に回し続けることで基管具３ｅの把持部下３ｄと左手７の間に、吸入袋６は積層し吸入袋６の開口部６ｃは、中央にまで手繰り寄せらる。
【００１５】図７（ａ）（ｂ）（ｃ）（ｄ）より実際の使用例を説明する。まず、図７（ａ）のより吸引袋６内に所定量のごみＨが貯留すると脱気締結具１の脱気管２を吸引袋６に挿入し左手７で把持部下３ｄを軽く把持した状態で、次に右手８で把持部上３ｃを強く把持し該右手８で回し吸引袋６は、把持具３に回しながら吸引袋６の開口部６ｃは、手繰り寄せられこの時に吸入袋６の開口部は巻回することで鍔３ｂの方向にずれていく場合は、鍔３ｂの面で阻止される。また、把持具３の中心に吸引袋６内が巻回することで基管具３ｅの開口部より下部に吸引袋６は、把持具３を回し脱気管２に吸引袋６が巻回されて密閉性を増し吸入袋６は、くびれ部Ｇが形成する。この場合把持具３の基管具３ｅは、脱気管２を回るが可撓性チューブ４、吸入パイプ９ａは、回されることなく捩れなくて済む。次に、電気掃除機９に電源をＯＮ（図指示無し）すると吸引袋６にごみＨが貯留した内部の空気は、脱気管２の開口部と側部貫通孔２ａから吸い出され可撓性チューブ４そして、吸入パイプ９ａ通り吸入経路に沿って空気が流れ最終的には電気掃除機９に吸入されることで吸入袋６は、周囲の大気圧により一方向の力ではなく周囲からの圧力によりプラスチック類のごみＨは縮小し始まる。
【００１６】そして、図７（ｂ）吸引袋６の内部にあるごみＨを貯留している空間の空気は吸入され大気圧により押圧された吸引袋６でごみＨのプラスチック類の容器等や包装容器等で重量の割には、大分体積が占めているので、排出されるので吸引袋６を大気圧で周囲からごみＨは押圧されて圧壊した時に電気掃除機９の電源（図指示無し）をＯＦＦにする。次に図７（ｃ）より吸引袋６から把持具３を抜き取る。まず、吸入袋６のくびれ部Ｇを左手７で把持し吸入袋６から把持具３を右手８で抜き取りる。この場合前記の図３で説明したように吸入袋６から把持具３を矢印Ｃの方向に抜くとき基管具２ｅは、脱気管２上を移動し該基管具２ｅの端面と掛止具２ｂに当接しそのまま続けると把持具３の脱気管２を吸入袋６から抜き取る。次に、該吸引袋６の開口部を左手７で開口部６ａを密閉するように保持しごみＨの容器類のプラスチック類は、ある限度内以上の圧力になると弾性変形から圧壊となるためごみＨをコンパクトにしたままに保持され図７（ｄ）のように吸引袋６がコンパクトにすると吸引袋６のくびれ部Ｇを左手７で把持し右手８で軽く数回捩りさらに紐６ｂで緊締するで密閉性を高める。
【００１７】また、プラスチック類のごみは圧壊し、体積が小さくなりが、再度圧力を開放するが、圧壊しているため元の状態に戻ることは無く縮小したままなので再度ごみＨを貯留しすることが可能で、上述で説明したように、図７（ａ）（ｂ）（ｃ）（ｄ）の順に再度繰り返し行うことで、吸入袋に別なごみＨを投入することも可能である。
【００１８】
【発明の効果】上記の構成からなる本発明によれば、どこの家にでも常備されている電気掃除機と吸入袋の間に介在する本発明の脱気締結具を挿着し吸入袋の空気を吸入したことでごみを圧壊しコンパクトになる。また、再度ごみを投入することも可能となる。また、今までの説明からも解るように、脱気締結具は、把持具、締結具、可撓性チューブから構成され部品数は大分少なくそのため安価に提供できる。また、集積所にスペース等で今までは、嵩張っていた吸入袋をコンパクトしているため収納率もよくなるり、このことから多くの人達に大分貢献するに違いないと確信している。
【図面の簡単な説明】
【図１】脱気締結具の斜視図である。
【図２】側部貫通孔の形成方法（ａ），  （ｂ）の断面図である。
【図３】脱気締結具の断面図である。
【図４】吸引袋に脱気締結具を挿入した斜視図である。
【図５】実際に脱気締結具の取り付け方法の斜視図である。
【図６】（ａ）、  （ｂ）、  （ｃ）は、把持具の基管具に吸入袋を巻回する図である。
【図７】（ａ）  実際に使用例で吸入袋の空気の吸入経路を示した図である。
（ｂ）電源の電気掃除機をＯＮにし吸引袋が収縮した図である。
（ｃ）  把持具を引き抜いた図である。
（ｄ）  吸引袋のコンパクトになった最終的な図である。
【符号の説明】
１  脱気締結具
２  脱気管
２ａ  側部貫通孔
２ｂ、２ｃ  掛止具
２ｄ  突出し量
３  把持具
３ａ  ３ｆ  切欠部
３ｂ  鍔
３ｃ  把持部上
３ｄ  把持部下
３ｅ  基管具
４  可撓性チューブ
５  締結具
５ａ  締結部
５ｂ  締結管
６  吸引袋
６ａ  開口部
６ｂ  紐
６ｃ  開口部
７  左手
８  右手
９  電気掃除機
９ａ  吸引パイプ
Ａ、Ｂ、Ｃ、Ｅ矢印方向
Ｄ  グラインダーの砥石
Ｆ  ドリルの中心
Ｇ  くびれ部
Ｈ  ごみ
【図１】
2004238105.tif 000003
【図２】
2004238105.tif 000004
【図３】
2004238105.tif 000005
【図４】
2004238105.tif 000006
【図５】
2004238105.tif 000007
【図６】
2004238105.tif 000008
【図７】
2004238105.tif 000009